Podtech/llm-jp-corpus-v4-ja_patent huggingface dataset:
(57)【特許請求の範囲】
【請求項１】
肩部分を取り除いた頸部マットレスと、左右どちらかを向いても側臥位に適した枕と、全身を受け止めるマットレスと、腹部や腰部を含めた背中への負担を抑えるクッションを備え、身体の負担が、一部分に集中することが少なくなるように配置を選べる寝具。
【発明の詳細な説明】
【技術分野】
【０００１】  この発明は、側臥位で寝ることに適した寝具に関するものである。
【背景技術】
【０００２】  上気道の空気の通り道が狭くなることで起こるいびきや、睡眠中に身体に十分な酸素が行き渡らない無呼吸症候群が社会問題化している。仰臥位で寝ることよりも、側臥位で寝ることが、イビキの発生も抑制され無呼吸症候群の症状がみられにくくなることが一般的に知られている。従来の寝具もそれに即しているようなものが多いが、従来の方法では側臥位で寝るには、身体にかかる負担があり、特に肩と背中の負担を軽減するものがなかった。
【先行技術文献】
【特許文献】
【０００３】
【特許文献１】特許公開２００７−７０９０公報
【特許文献２】特許公開２００６−１９８２１０公報
【特許文献３】特許公開２００８−２５３７３４公報
【発明の概要】
【発明が解決しようとする課題】
【０００４】  寝具によっては、強制的に側臥姿勢をとらせる形状の物や、体を少しずらせば、簡単に仰臥姿勢に戻ってしまうような物があった。側臥位の姿勢により、肩部分が寝具と長時間接触し、身体の負担を軽減するものがなかった。
本発明は、以上の問題点を解決することを目的とする。
【課題を解決するための手段】
【０００５】  第一発明は、側臥位で寝ることで、マットレスの肩部分の接触をなくし、肩部分の負担を取り除いたことである。これにより、側臥位で寝ることで、身体の負担が、一部分に集中することが少なくなる構造にした。第二発明は、左右どちらかを向いて寝る際に、左右どちらかを向いても、肩部分を抜けた部分を支えるように、側臥位に適した枕を配置した。第三発明は、側臥位で寝る場合、腹部と腰部への負担が大きいため、それを抑え、接地面をカーブ状にしてフィットしやすいような構造にしている。さらにそれを、利用者が縦横どのような置き方をしてもいいように選べるようにしている。
【発明の効果】
【０００６】  本発明による寝具により、無呼吸症候群やいびきを気にする人だけでなく、側臥位の状態で寝たい人も、側臥位の状態であれば気になる圧迫部分を気にすることなく、側臥位の状態で快適にいられるようになる。
【図面の簡単な説明】
【０００７】  以下、本発明の実施形態について説明する。
【図１】側臥位で寝ることに適した寝具のマットレスの表面側からみた平面図である。
【図２】側臥位で寝ることに適した寝具のマットレスの表面側からみた斜視図である。
【図３】側臥位で寝ることに適した寝具の側臥位で寝た状態を示す、マットレスの肩部分の概略説明図である。
【図４】側臥位で寝ることに適した寝具の腹部、背部のマットレスの斜視図である。
【発明を実施するための形態】
【０００８】  ［図１］のような側臥位で寝ることに適した寝具がある。［図３］の１は側臥位で寝た状態の人である。ＢとＥの間に［図２］のようにＣＣ部分が隙間になっており、その部分に肩を通し、Ａの枕に頭を乗せ、Ｆのマットレス部分によって、腹部を支えられ楽に側臥位になれる。
【符号の説明】
【０００９】Ａ側臥位の状態でいるときの枕である。
Ｂ仰臥位の状態でいるときの枕である。
Ｃ側臥位での状態でいるときの背中側の肩部分のマットレスである。反対側を向きたいときはこれを移動することができる。
ＣＣ側臥位の状態でいるときの、顔側の肩部分、腕が通せる空間部分である。
Ｄ仰臥位の状態でいるときの頸部のマットレスである。
Ｅその他、身体全身を受け止めるマットレスである。
Ｆ側臥位の状態でいるときの腹部と背部を支えるマットレスである。
１側臥位で寝ることに適した寝具で、側臥位の状態でいるときの人である。
【図１】
0006264614.tif 000002
【図２】
0006264614.tif 000003
【図３】
0006264614.tif 000004
【図４】
0006264614.tif 000005
(57)【特許請求の範囲】
【請求項１】
熊手本体（１）で、柄（５）の掻く縦方向に対して、横方向へＴ字型を為す補強部（３）の下部に、斜め状かつ先すぼみ形状の斜め爪（２）が多数並列したことを特徴とする斜め爪の熊手。
【発明の詳細な説明】
【発明の詳細な説明】
【０００１】技術の分野
本発明は、斜め爪の熊手に関する。
【０００２】背影の技術
これまでも竹製の熊手やら金属製の熊手やらプラスチック製の熊手やら形状も色々とあって引いた草や落葉など、田んぼでは白菜の葉っぱなどを掻き寄せたりするのに使われていた。
【０００３】先行技術文献１  特願平１１−１７０３２９  先行技術文献２  特願２００３−３８１８５７  先行技術文献３  特願２００９−１３６１９４
【０００４】発明概要
【発明が解決しようとする課題】
従来技術の問題点は、作業中に熊手の爪に、掻いた物が突き刺さって、その度に作業を中断して、熊手の爪を掃除してから、また作業を続けるという非能率な状況にあった。
【課題を解決する為の手段】
図１の本発明の熊手本体（１）で、柄（５）の掻く縦方向に対して、横方向へ丁字型を為す補強部（３）の下部に斜め状なおかつ先すぼみ形状に斜め爪（２）を多数並列させた。斜め爪（２）が斜めである為、斜め爪（２）に蔭部（６）ができる。例えば白菜の収穫後の田んぼの白菜の葉っぱを掻き寄せる時、葉っぱが斜め爪（２）に突き刺さっても蔭部（６）が隙間になっていて斜め爪（２）が先すぼみ形状だから固着せずにすぐに斜め爪（２）からはずれる。もしも外れ難い場合でも斜め爪（２）の向きと反対方向へスライドすれば斜め爪（２）が傾斜しているから容易にスライドでき刺さっているものを容易に外せて作業が円滑に進む。本発明では、斜め爪（２）の多数並列する平面側が柄（５）の掻く方向に突き合せた構成だから効率よく斜め爪（２）で、落ち葉や引いた草や田んぼの白菜の収穫後の白菜の葉っぱ等を掻き寄せられる。
補強部（３）は熊手本体（１）が、たわむのを補強した。熊手本体（１）の左右の重心に柄取り付け部（４）を設け柄（５）をさし込んで成る。
【発明の効果】
熊手本体（１）の斜め爪（２）を斜めとしたから蔭部（６）の隙間がある為に物が刺さり難く刺さっても斜め爪（２）が傾斜しているから斜め爪（２）の向きと逆方向へ容易にスライドできて外せて作業がしやすく能率が上る。また斜め爪（２）の多数並列する平面側が、柄（５）の掻く方向と突き合せた構成だから、斜め爪（２）の平面側でなく薄い側でスライドするから、効率よく、落ち葉や引いた草や田んぼの白菜の収穫後の白菜の葉っぱ等を掻き寄せられる。更に斜め爪（２）を、横へスライドしても斜め爪（２）の平面側が柄（５）の掻く方向に突き合せた構成であるから、地面との摩擦面が小さくスライドしやすい。
【実施例】
【０００５】実施例図３では、図１の斜め爪（２）の向きを図１とは逆方向にして、斜め爪（２Ａ）とした。
【図面の簡単な説明】
【０００６】
【図１】は、本発明の斜視図である。
【図２】は、本発明の正面図である。
【図３】は、本発明の実施例の斜視図である。
【０００７】産業上の利用の可能性
【符号の説明】
【０００８】（１）は、熊手本体。
（２）、（２Ａ）は、斜め爪。
（３）は、補強部。
（４）は、柄取り付け部
（５）は、柄。
（６）は、蔭部。
【図１】
0006322856.tif 000002
【図２】
0006322856.tif 000003
【図３】
0006322856.tif 000004
(57)【特許請求の範囲】
【請求項１】
環状ローラ型の縦置き研磨機における研磨力調整可能なハンマーホイール機構であって、星形のスタンド２）にはスイングアーム軸（３）によってスイングアーム（１）が取り付けられ、スイングアーム（１）の一端にはハンマーホイール軸（５）によってハンマーホイール（４）が取り付けられ、スイングアーム（１）には調整ボルト（７）によって重り（the weight ）（６）が取り付けられていることを特徴とする環状ローラ型の縦置き研磨機における研磨力調整可能なハンマーホイール機構。
【発明の詳細な説明】
【技術分野】
【０００１】
本発明は、環状ローラ型の縦置き研磨機のハンマーホイール機構（a hammer wheel mechanism able to adjust the grinding force for an annular roller type upright mill）に関する。
【背景技術】
【０００２】
従来、浮遊粉砕機、遊星形の垂直ミル、エアスウェプト研磨機、スイングローラ型の研磨機、遠心環形ローラ型の研磨機などの環状ローラ型の粉砕機は、いずれもハンマーホイールによって遠心慣性力を利用して研磨リングの上部から落下した材料に対して研磨し、材料を粉砕し、ハンマーホイールの重量が一定である時に、ハンマーホイールの研磨力は、機器の運転速度の上昇と共に増加し、機器の臨界速度状態において粉砕強度限界下で材料を粉碎する必要な作用力を実現することが困難であり、研磨力が大きすぎると、「過度研磨」を引き起こしやすく、製品品質に影響がある。研磨力が材料を粉砕するまでに必要な強度を達成しないと、生産効率が大幅に低下する。
【発明の概要】
【発明が解決しようとする課題】
【０００３】
本発明の目的は、環状ローラ型の縦置き研磨機のハンマーホイールの研磨力調整機構を提供することにあり、該機構がハンマーホイールの研磨力を効果的に調整することができ、異なる硬度の材料に必要な粉砕力の調整を実現し、同一材料の異なる研磨層に必要な研磨力の調整も実現することができる。
【課題を解決するための手段】
【０００４】
本発明の目的は下記の技術方法により実現される。環状ローラ型の縦置き研磨機における研磨力調整可能なハンマーホイール機構において、星形のスタンドにはスイングアーム（swinging arm）軸によってスイングアームが取り付けられ、スイングアームの一端にはハンマーホイール軸によってハンマーホイールが取り付けられ、スイングアームには調整ボルトによって重りが取付けられる。
【０００５】
先行技術技術に比べて、本発明は以下の特徴を有する。
ハンマーホイールのスイングアームの他端にはスイングアームに沿って横方向に移動可能な重りが取り付けられ、機器が運転する時、それと同時に重りが慣性遠心力を発生し、平面力システムの原理によると、支点に一つの釣合トルクがあり、重りの対応位置を調整し、或いは重りの重量を改変することで、ハンマーホイールの研磨力に対する設置と調整を実現することができ、最適な効果を達成し、機器の材料に対する効果的な研磨を実現し、製品品質を向上させ、機器の生産効率を向上させる。
【図面の簡単な説明】
【０００６】
【図１】図１は本発明の取付け構造を模式に示す図である。
【図２】図２は本発明のＡ―Ａの局部拡大図である。
【発明を実施するための形態】
【０００７】
＜実施例＞
図１、図２に示すように、環状ローラ型の縦置き研磨機における研磨力調整可能なハンマーホイール機構であって、環状ローラ型の縦置き研磨機の主軸１０には星形のスタンド２が取り付けられ、星形のスタンド２にはスイングアーム軸３によってスイングアーム１が取り付けられ、スイングアーム１の一端にはハンマーホイール軸５によってハンマーホイール４が取り付けられ、スイングアーム１には調整ボルト７によって重り６が取り付けられ、ハンマーホイール４が研磨リング8の内壁に沿って回転する。
【図１】
0006341429.tif 000002
【図２】
0006341429.tif 000003
(57)【特許請求の範囲】
【請求項１】
２階建て構造であって、１階床の前後端部に形成された１階通気口と、該１階通気口と前記１階床との境界部に形成した仕切板と、前記境界部に沿って設けた手摺と、前記１階通気口を覆う通風板と、２階床の前後端部に形成されて１階空間と２階空間を連通する２階通気口と、２階の天井面に設けた通気用のベンチレーターと、を備えたことを特徴とするロープウェイの客車。
【発明の詳細な説明】
【技術分野】
【０００１】
本発明は、索道設備の中でも比較的大勢の乗客を輸送するロープウェイの客車に関する。
【背景技術】
【０００２】
ロープウェイは、数十人程度から百数十人程度の乗客を収容する大型の客車を備えた搬器を索条に懸垂し、一般的には２台の搬器をつるべ式に運行する索道設備として知られている。索道設備の多くは、山岳傾斜地での観光客輸送用や、スキー場での人員輸送用等に多用されているが、このような設備における搬器は、客車内に電源を引き込むことが難しく空調設備を設けることは困難である。また、搬器が通過する空間が高所であるために客車の窓等の開口寸法は制限されるとともに、雨天の場合などは窓等を締め切らねばならず、特に夏季においては客車内が暑くなり不快であるという指摘がある。
【０００３】
このようなことに鑑みて従来、客車内の換気を良好にするための技術が特許文献１により提案されている。特許文献１に開示された技術は、客車の側面窓の外側に開口を有して突出し風をガイドする導風器を装着することにより、外気を車内に導入して換気を行うようにしたものである。
【先行技術文献】
【特許文献】
【０００４】
【特許文献１】特開平１０−１１９７６２号公報
【発明の概要】
【発明が解決しようとする課題】
【０００５】
しかしながら、上記特許文献１の技術においても雨天等の場合には、窓を締めて吹き込みを防止せねばならず、十分な換気が行われないという問題点が依然としてある。また、近時においては客車の形態も多様化し、２階建て構造とした大型の客車も実際に運行されており、このような客車においても快適性が求められる。
【０００６】
本発明は、このような事情の解決を目的としてなされたものであって、通常の運行時はもとより、雨天等の運行時においても十分な換気が行えるロープウェイの客車を提供することを目的とする。
【課題を解決するための手段】
【０００７】
上記課題を解決するために本発明は、２階建て構造であって、１階床の前後端部に形成された１階通気口と、該１階通気口と前記１階床との境界部に形成した仕切板と、前記境界部に沿って設けた手摺と、前記１階通気口を覆う通風板と、２階床の前後端部に形成されて１階空間と２階空間を連通する２階通気口と、２階の天井面に設けた通気用のベンチレーターと、を備えたことを特徴としている。
【発明の効果】
【０００８】
本発明によれば、客車内を上下方向へ向けて通風を行うことができ、客車内の換気を十分に行うことができる。
【図面の簡単な説明】
【０００９】
【図１】ロープウェイ搬器の一部断面視正面図
【図２】客車部分を断面で示したロープウェイ搬器の側面図
【発明を実施するための形態】
【００１０】
以下、本発明の具体的な実施の形態を図面を参照して説明する。図１はロープウェイ搬器の一部断面視正面図、図２は客車部分を断面で示したロープウェイ搬器の側面図である。なお、以下の説明においては、搬器１０の進行方向を前後方向等として、また、進行方向に対して水平方向で直交する方向を左右方向等として説明する。
【００１１】
ロープウェイの搬器１０は、走行機１１と懸垂機１２と客車１３を備えている。走行機１１は、左右２列に配列した複数の走行輪１６を備えており、この走行輪１６を介して線路中に張架された支索１４上に支持されている。走行機１１には、線路に沿って駆動されるえい索１５が接続されており、このえい索１５に牽引されて走行機１１ないし搬器１０が移動する。走行機１１には、連結軸１７によって懸垂機１２が前後方向揺動自在に連結されており、この懸垂機１２の下部に客車１３が取付けられている。
【００１２】
客車１３は、２階建て構造であって正面視においては略矩形をなしており、側面視においては、前後部が１階部分と２階部分とで段階的に内側方向へ傾斜した略台形形状をなしている。客車１３の前後面には、１階部分及び２階部分のほぼ全面に広がる窓１８、１９を有しており、１階部分の下端部には通気口２０が形成されている。客車１３の側面には、中央位置に乗降用の扉２１、２２が設けられており、扉２１、２２の両側は窓２３、２４となっている。
【００１３】
図２に示すように、１階床２５の前後端部には、上下に貫通して通気口（１階通気口）２６が形成されている。この通気口２６と１階床２５との境界部には、乗客の足が通気口２６側へはみ出るのを防止するために、床面から上方へ突出して仕切板２７を形成しており、また、この境界部に沿って手摺２８を設けている。通気口２６の上面は、格子状や網目状などの素材からなる通風板２９で覆われており、通気が可能であるとともに大きな物品の落下を防止する。また、この通気口２６は、換気の必要がない場合に蓋等で塞ぐ構造にしてもよい。
【００１４】
次に、２階床３０の前後端部にも上下に貫通して通気口（２階通気口）３１が形成されており、この部分で１階空間と２階空間が連通している。上記と同様に通気口３１と２階床３０との境界部付近には、床面から上方へ突出して仕切板３２を形成しており、また、この仕切板３２の内側には手摺３３を設けるとともに、通気口３１の上面は通風板３４で覆われている。続いて、２階の天井にはベンチレーター３５を備えている。このベンチレーター３５は、雨水の進入を防止しながら通気ができる構造であり、従来より既知の構造により構成される。
【００１５】
以上のように構成したロープウェイの搬器１０は、一般的に傾斜した線路を移動することから、外気は客車１３の真正面に当たることはまれであり、移動する方向によって斜め上方から又は斜め下方から当たることになる。上記したように客車１３は、１階床２５及び２階床３０の前後端部には通気口２６、３１が形成されるとともに、２階の天井にはベンチレーター３５を備えており、斜めから当たる外気はこれらを通して客車１３内を上下方向へ通風されるので、客車１３内の換気が良好に行われる。
【００１６】
また、図２からわかるように、客車１３の側面視形状は前記したように略台形形状をしており、客車１３内の前部及び後部は窓１８、１９が傾斜している為に、乗客は１階床２５及び２階床３０の最先端部までは進行することはない。したがって、この位置に通気口２６、３１設けても乗客が有効に使用する床面積は減少することはないので、合理的な位置に通気口２６、３１を設けることができる。
【符号の説明】
【００１７】
１０  搬器
１１  走行機
１２  懸垂機
１３  客車
１４  支索
１５  えい索
１６  走行輪
１７  連結軸
１８  窓
１９  窓
２０  通気口
２１  扉
２２  扉
２３  窓
２４  窓
２５  １階床
２６  通気口
２７  仕切板
２８  手摺
２９  通風板
３０  ２階床
３１  通風口
３２  仕切板
３３  手摺
３４  通風板
３５  ベンチレーター
【図１】
0006366406.tif 000002
【図２】
0006366406.tif 000003
(57)【特許請求の範囲】
【請求項１】
表裏共に滑らかで、滑りが良く、薄い素材で形成されており、一端５が開口され、他端４が閉塞された管状であり、開口部５には、ヒモ３が付いていることを特徴とする衣服着用補助具。
【請求項２】
前記開口部５は、装着がスムーズに行われる様、曲線を描き、又、肩まで覆い被せるような長さを有している事を特徴とする請求項１記載の衣服着用補助具。
【発明の詳細な説明】
【技術分野】
【０００１】本発明は、重ね着をする時に生じる下着（中着）の袖のまくれ上がりを防ぐ事の出来る衣服着用補助具である。
【背景技術】
【０００２】上着を着る時に生じる下着（中着）の袖のまくれ上がりを直す為に、上着の袖口より指を入れて直す作業に時間と労力を必要とする。【０００３】先行技術として、特許文献１には、衣服着用補助具本体を、その都度縫い付けなければならず、作業時間を長く必要とし、その他実施の形態数が多い。
【特許文献１】特開２０１２−１２７４４号公報
【発明が解決しようとする課題】
【０００４】重ね着をする時に生じる下着（中着）の袖のまくれ上がりは、介護を必要とする高齢者や障害者、または介護をする人にとっても、上着の袖口から腕を入れて引き出す作業は困難であるが、本発明の衣服着用補助具を使用することにより、課題を解決するものである。
【０００５】本発明は、常時介護人が被介護人に行う着せ替え時に生じる時間・労力あるいは苛立ちを解決する衣服着用補助具である。
【課題を解決するための手段】
【０００６】本発明の材質は、表裏ともに滑らかで滑り易く、薄い素材で形成され、一端５が開口され、他端４が閉塞された管状であり、開口部５にはヒモ３を取り付けた事を特徴とする。
【０００７】本発明名衣服着用補助具は、使用時に滑り落ちを防ぐ為のヒモ３を、着用者の首の後ろに廻し、反対側の肩から胸の前側に通す事により、滑り止めを防ぐ事を特徴とするものである。
【０００８】前記開口部５は、装着がスムーズに行われるよう、曲線を描き、また、覆いかぶせるような長さを有している事を特徴とする。
【発明の効果】
【０００９】請求項１記載の本発明の衣服着用補助具は、重ね着をする時に生じる下着（中着）の袖のまくれ上がりを防ために、被介護人、障害者、介護人の着せ替え時の労力・時間・精神的苛立ちの問題を解決することができる。
【００１０】特に介護をする人にとっては、常時行う被介護人の着せ替えに大きな負担と、或いは感じる苛立ちを解消することができる。
【００１１】特に、補助具に腕を通す、上着に腕を通す、上着の袖から補助具を引き出す、という三つの作業が、素早く完了する事ができる。
【図面の簡単な説明】
【００１２】
【図１】衣服着用補助具の正面図である。
【図２】衣服着用補助具しての使用方法を示し、腕に装着している状態の説明図である。
【図３】衣服着用補助具としての使用方法を示し、補助具を付けた腕を上着の袖に通した状態の着用時の説明図である。
【発明を実施するための形態】
【００１３】図１は、衣服着用補助具の正面図である。
衣服着用補助具１は、一端が開口部５を有し、他端に閉塞部４を有する管状の本体２と前記開口部５の上端にヒモ３を有するものである。
【実施例】
【００１４】図２に示すように、まず衣服着用補助具１の開口部５を持って、下着（中着）を着た装着者Ｍの片方の腕に通し、ヒモ３を装着者Ｍの首の後ろを通し、反対側の肩側より胸の前側に垂らす。【００１５】図３に示すように、次に衣服着用補助具１を装着した装着者Ｍの腕を、上着（カーディガン等）Ｕの腕の挿入部より入れ、上着（カーディガン等）Ｕの片方の袖を装着する。【００１６】上着（カーデガン等）Ｕの袖口より出ている発明１の閉塞部４をつまみ、引き出すと、重ね着は、まくれ上がりを生じることなく完了する。【００１７】次に反対側の腕も上記同様に行う事により、下着（中着）の袖がまくれ上がることなく重ね着が終了する。【００１８】また、発明１を二枚同時にしようすれば、さらに早く重ね着を終わらせる事が可能である。
【符号の説明】
【００１９】１  衣服着用補助具
２  本体
３  ヒモ
４  閉塞部
５  開口部
Ｍ  装着者
Ｕ  上着（カーディガン等）
【図１】
0006268654.tif 000002
【図２】
0006268654.tif 000003
【図３】
0006268654.tif 000004
(57)【特許請求の範囲】
【請求項１】
衣類を投入する回転ドラムを備え、回転ドラムの内周面に、衣類を撹拌するリフターが回転ドラムの端部に接して突設された衣類乾燥機であって、
回転ドラムに固定の磁石と、回転ドラムの外部に磁石の回転軌跡に臨ませて設けられる磁気センサとから成る回転ドラムの回転数を検知する回転検知手段を備えるものにおいて、
磁石は、リフターの内部で、且つ、回転ドラムの端部又は周壁部に接する部分に設置されることを特徴とする衣類乾燥機。
【発明の詳細な説明】
【技術分野】
【０００１】
本発明は、衣類を投入する回転ドラムを有する衣類乾燥機に関する。
【背景技術】
【０００２】
元来、この種の衣類乾燥機では、回転ドラムの回転数制御のため、回転ドラムの回転数を検知する回転検知手段を設けている。そして、回転検知手段は、回転ドラムに固定の磁石と、回転ドラムの外部に磁石の回転軌跡に臨ませて設けられる磁気センサとで構成されている。尚、回転ドラムの内周面には、衣類を撹拌するリフターが突設されている。
【０００３】
ところで、回転ドラムの内部に磁石を配置すると、衣類が磁石に引っ掛かる。そこで、従来は、磁石を回転ドラムの外面に突出するように配置している(例えば、特許文献１参照)。然し、これでは、回転ドラムの外面に突出する磁石の回転軌跡分のスペースをドラム外に確保することが必要になり、その分だけ回転ドラムの容量を縮小せざるを得なくなる。
【先行技術文献】
【特許文献】
【０００４】
【特許文献１】特開平８−１１７４９２号公報
【発明の概要】
【発明が解決しようとする課題】
【０００５】
本発明は、以上の点に鑑み、磁石の配置に起因する回転ドラムの容量縮小を回避できるようにした衣類乾燥機を提供することをその課題としている。
【課題を解決するための手段】
【０００６】
上記課題を解決するために、本発明は、衣類を投入する回転ドラムを備え、回転ドラムの内周面に、衣類を撹拌するリフターが回転ドラムの端部に接して突設された衣類乾燥機であって、回転ドラムに固定の磁石と、回転ドラムの外部に磁石の回転軌跡に臨ませて設けられる磁気センサとから成る回転ドラムの回転数を検知する回転検知手段を備えるものにおいて、磁石は、リフターの内部で、且つ、回転ドラムの端部又は周壁部に接する部分に設置されることを特徴とする。
【０００７】
本発明によれば、磁石が回転ドラムの外面に突出しないため、磁石の配置に起因する回転ドラムの容量縮小を回避できる。また、磁石はリフター内部に位置するため、磁石に衣類が引っ掛かることはなく、且つ、リフター内部の本来デッドスペースとなる部分を磁石の配置スペースに有効活用でき、合理的である。
【図面の簡単な説明】
【０００８】
【図１】本発明の実施形態の衣類乾燥機の模式的断面図。
【図２】実施形態の衣類乾燥機の磁石設置部分の拡大断面図。
【発明を実施するための形態】
【０００９】
図１を参照して、１は、衣類乾燥機の機体を示している。機体１内には、衣類を投入する回転ドラム２と、バーナ３を内蔵する燃焼筐４と、燃焼筐４に連なりバーナ３の燃焼排気を空気と共に温風として回転ドラム２内に導く温風ダクト５と、機体１の上面後部の排気口１１に接続されると共に、機体１の前面ドア１２内に設けたドア内通路１３を介して回転ドラム２内に連通する排気ダクト６とが設けられている。排気ダクト６には、回転ドラム２内の気体を排気しつつ回転ドラム２内に温風ダクト５から温風を吸引する給排気ファン６１が介設されている。尚、ドア内通路１３の上流端には糸くずフィルタ１３ａが装着され、また、機体１の下部側面には空気取入れ口１４が開設されている。
【００１０】
回転ドラム２は、モータ７によりベルト７ａを介して回転駆動される。また、回転ドラム２の内周面には、衣類を撹拌するリフター２１が突設されている。
【００１１】
ところで、回転ドラム２の回転数は衣類の投入量等に応じて可変する必要がある。そのため、回転ドラム２の回転数を検知する回転検知手段８を設け、機体１内のコントローラ９で指示される回転数になるように回転ドラム２の回転数制御を行う。回転検知手段８は、回転ドラム２に固定の磁石８１と、回転ドラム２の外部に磁石８１の回転軌跡に臨ませて設けられる磁気センサ８２とで構成されている。
【００１２】
ここで、磁石８１を回転ドラム２の外面に突出するように配置すると、回転ドラム２の外面に突出する磁石８１の回転軌跡分のスペースをドラム外に確保することが必要になり、その分だけ回転ドラム２の容量を縮小せざるを得なくなる。そこで、本実施形態では、図２に明示するように、リフター２１の内部の回転ドラム２の前端部に接する部分に磁石８１を設置している。尚、リフター２１の内部の回転ドラム２の周壁部に接する部分に磁石８１を設置することも可能である。
【００１３】
これによれば、磁石８１が回転ドラム２の外面に突出しないため、磁石８１の配置に起因する回転ドラム２の容量縮小を回避できる。また、磁石８１はリフター２１内部に位置するため、磁石８１に衣類が引っ掛かることはなく、且つ、リフター２１内部の本来デッドスペースとなる部分を磁石８１の設置スペースに有効活用でき、合理的である。
【００１４】
以上、本発明の実施形態について図面を参照して説明したが、本発明はこれに限定されるものではなく、本発明の趣旨を逸脱しない範囲で種々変形して実施することができる。
【符号の説明】
【００１５】
２…回転ドラム、２１…リフター、８…回転検知手段、８１…磁石、８２…磁気センサ。
【図１】
0006268115.tif 000002
【図２】
0006268115.tif 000003
(57)【特許請求の範囲】
【請求項１】
リュックの下部が横にスライドし、さらに手前に回転し、リュックを背負ったまま内容物を出し入れできるようにした、スライド回転式リュック。
【請求項２】
前記リュック下部にレール、リュック本体にランナーを備え、前記ランナーは両端が分かれており、前記リュック下部を回転させたときに前記レールが当たらない、請求項１記載のスライド回転式リュック。
【請求項３】
前記リュック下部が、左右どちらでもスライド、回転できる、請求項１記載のスライド回転式リュック。
【発明の詳細な説明】
【技術分野】
【０００１】
本発明は、リュックの下部が横にスライドし、さらに手前に回転し、リュックを背負ったまま内容物を出し入れできるようにしたスライド回転式リュックに関するものである。
【背景技術】
【０００２】
従来、リュックの下部がスライドするリュックがあった。
【先行技術文献】
【特許文献】
【０００３】
【特許文献１】実登3074842
【発明の概要】
【発明が解決しようとする課題】
【０００４】
次のような問題点があった。
（イ）スライドしたリュック下部が後ろにあるため、出し入れがしにくい。
（ロ）スライドしたリュック下部が後ろにあるため、内容物を出し入れする際、目での確認がしにくい。
本発明は、以上の問題点を解決するためになされたものである。
【課題を解決するための手段】
【０００５】
リュックの下部をスライドさせるだけでなく、さらに手前に回転するようにした。
【発明の効果】
【０００６】
リュック下部が使用者の真横まで移動するので、内容部の出し入れがしやすく、視界に入るので目で確認できる。
【図面の簡単な説明】
【０００７】
【図１】本発明の、リュック下部（１ａ）をスライドさせる前の状態の概略斜視図である。
【図２】本発明の、リュック下部（１ａ）をスライドさせた状態の概略斜視図である。
【図３】本発明の、リュック下部（１ａ）をスライドさせ、さらに回転させた状態の概略斜視図である。
【図４】図１の１−１’線に沿う断面図である。
【図５】図１の２−２’線に沿う断面図である。
【図６】図４、図５の３−３’線に沿う断面図である。
【図７】図４、図５の４−４’線に沿う断面図である。
【図８】図６のリュック下部（１ａ）をスライドさせ、さらに回転させた状態の断面図である。
【図９】図７のリュック下部（１ａ）をスライドさせ、さらに回転させた状態の断面図である。
【発明を実施するための形態】
【０００８】
以下、本発明の実施の形態について説明する。
（イ）リュック本体（１）とリュック下部（１ａ）は分割しており、リュック下部（１ａ）についているレール（２）と、リュック本体（１）ランナー（３）によって接続させ、左右にスライド可能とする。ランナー（３）は両端が分かれており、リュック下部（１ａ）を回転させたときにレール（２）が当たらないようになっている。
（ロ）リュック下部（１ａ）に左右２か所ずつの合計４つの回転軸（４）を設ける。
（ハ）リュック本体（１）に左右２か所ずつの合計４つのフック（５）を設ける。
右側の２つの回転軸（４）は左にスライドさせた時に２つの左側のフック（５）に当たるように配置する。
左側の２つの回転軸（４）は左にスライドさせた時に２つの右側のフック（５）に当たるように配置する。
本発明を使用するときは、リュック本体（１）を背負った状態から、リュック下部（１ａ）を左右どちらかに、回転軸（４）とフック（５）がかかるまで引っ張る。さらにリュック下部（１ａ）を回転軸（４）を中心に手前に回転させる。そうすることにより、リュック下部（１ａ）が自分の真横に来るので荷物の出し入れが容易となる。リュック下部（１ａ）を左右どちらかに引っ張る前はリュック本体（１）とリュック下部（１ａ）のスライドはロックされており、リュック下部（１ａ）を左右どちらかに引っ張ったときにロックが外れる機構を付加するのが望ましい。また、リュック下部（１ａ）を手前に回転させたとき、その状態を維持させる機構を付加することが望ましい。
【符号の説明】
【０００９】
１    リュック本体
１ａ  リュック下部
２    レール
３    ランナー
４    回転軸
５    フック
【図１】
0006268343.tif 000002
【図２】
0006268343.tif 000003
【図３】
0006268343.tif 000004
【図４】
0006268343.tif 000005
【図５】
0006268343.tif 000006
【図６】
0006268343.tif 000007
【図７】
0006268343.tif 000008
【図８】
0006268343.tif 000009
【図９】
0006268343.tif 000010
(57)【特許請求の範囲】
【請求項１】
植毛部の毛が植毛されている面にくぼみを設け、糸ようじを張設した取り付け部を前記くぼみにスライドさせることで糸ようじを植毛部内部に装着及び取り外しをできるようにし、歯の表面及び歯間の清掃を同時に行えるようにした歯ブラシ。
【発明の詳細な説明】
【技術分野】
【０００１】  本発明は、歯ブラシの植毛部に糸ようじの装着を可能にすることで、歯間及び歯の表面の清掃を同時に行うことができるようにしたものである。
【背景技術】
【０００２】  歯間及び歯の表面の双方を清潔に保つためには、歯間ブラシやフロスと、歯ブラシを行う必要があるが、従来はこれらを同時に行うことはできなかった。
【発明の概要】
【発明が解決しようとする課題】
【０００３】  歯の清掃という１つの目的に対し、歯の表面及び歯間の両方を清掃するために道具を持ち替えることは手間である。また、歯間を清掃するためにフロスを使用する場合、手が汚れやすいといった難点がある。
【課題を解決するための手段】
【０００４】  植毛部１のくぼみ３に取付部５を用いて装着することにより、歯ブラシと糸ようじを同時に行えるようにした。
【発明の効果】
【０００５】  歯ブラシの植毛部１に糸ようじ４の装着を可能にしたことにより、歯の表面と歯間を同時に清掃することができるようになった。歯の清掃における道具を１つにまとめたことにより、道具の持ち替えの煩わしさが軽減、時間の短縮にもつながる。また、糸ようじ４の取り外しが可能であるため、糸ようじのみの交換が可能であり、衛生面でも安心して使用することができる。
【図面の簡単な説明】
【０００６】
【図１】本発明を斜め上から見た図である。
【図２】糸ようじを植毛部に装着したものを横から見た図である。
【図３】植毛部に毛がない状態で糸ようじを装着したものを横から見た図である。（参考）
【図４】糸ようじを装着した歯ブラシの使用例である。（歯ブラシを使用する場合。）
【図５】糸ようじを装着した歯ブラシの使用例である。（糸ようじを使用する場合。）
【発明を実施するための形態】
【０００７】  植毛部１にくぼみ３を設ける。このくぼみ３に取り付け部５をスライドさせることにより糸ようじ４を装着させる。糸ようじ４を取り外す場合は、同様に取り付け部５をスライドさせる。
【符号の説明】
【０００８】  １  植毛部
２  毛
３  くぼみ
４  糸ようじ
５  取付部
【図１】
0006268399.tif 000002
【図２】
0006268399.tif 000003
【図３】
0006268399.tif 000004
【図４】
0006268399.tif 000005
【図５】
0006268399.tif 000006
(57)【特許請求の範囲】
【請求項１】
打部と当該打部の一端側に把持部を連結し、
前記打部は中空部と開口部とを有し、叩打により共振するものであることを特徴とするりん型りん棒。
【請求項２】
前記打部は有底の円筒体であることを特徴とする請求項１に記載のりん型りん棒。
【請求項３】
前記打部又は／及び把持部は、自立載置可能な載置部を有することを特徴とする請求項１又は２記載のりん型りん棒。
【請求項４】
前記把持部は打部の共振を妨げないように可撓性を有するか、又は、緩衝材で被覆してあることを特徴とする請求項１〜３のいずれかに記載のりん型りん棒。
【発明の詳細な説明】
【技術分野】
【０００１】
本発明は仏具として用いられるりん棒に関し、特にりん棒自身におりんとしての機能を付与したりん型りん棒に係る。
【背景技術】
【０００２】
仏具として用いられるりん棒は、一般的におわん型のおりんを叩くための用具である。
従って、りん棒はおりんを打撃するための打部と指で摘まむための把持部を有するが、これまでに提案されているりん棒において打部は、おりんを叩打するのが目的であって、打部自身が共振（共鳴）するものではなかった。
【０００３】
特許文献１には、お鈴支持棒にお鈴取付部を介してお鈴を取り付けた携帯用小型お鈴を開示するが、この場合もお鈴取付部内に挿入して保持する鈴棒を有するものであり、りん棒におりんとしての機能を付与する技術的思想は存在しない。
【先行技術文献】
【特許文献】
【０００４】
【特許文献１】特開２０１１−１１０１８５号公報
【発明の概要】
【発明が解決しようとする課題】
【０００５】
本発明は、仏具として用いられるりん棒自身が共振部を有するりん型りん棒の提供を目的とする。
【課題を解決するための手段】
【０００６】
本発明に係るりん型りん棒は、打部と当該打部の一端側に把持部を連結し、前記打部は中空部と開口部とを有し、叩打により共振するものであることを特徴とする。
ここで、りん型りん棒と表現したのは仏具として用いられるおりんを叩くりん棒であるとともに、りん棒自身に共振（共鳴）する部分を有することをいう。
従って、本発明に係るりん型りん棒は中実物体等の共振しない物を打撃するだけで、りん型りん棒が共振し共鳴音が鳴る。
例えば、前記打部は有底の円筒体である形態が例として挙げられる。
本発明において打部は金属製であり、一般的なおりんに使用されている黄銅等の銅合金やアルミ合金，スチール製等が例として挙げられる。
【０００７】
本発明においては、前記打部又は／及び把持部は、自立載置可能な載置部を有してもよく、前記把持部は打部の共振を妨げないように可撓性を有するか、又は、緩衝材で被覆してあるのが好ましい。
【発明の効果】
【０００８】
本発明に係るりん型りん棒は、りん棒としての機能を有するとともに、それ自身が物を軽く叩くだけで共鳴音、即ち、りん音が鳴る。
また、自立載置型にすると狭いスペースに載置して置いたり、台座等に自立させて置き、把持部を摘み、台座等を叩くだけでおりんとしての機能も有する。
これによりデザイン性に優れた小型のりん型りん棒になる。
【図面の簡単な説明】
【０００９】
【図１】本発明に係るりん型りん棒の例を示す。（ａ）は自立載置させた状態を示し、（ｂ）は開口部側から見た斜視図を示す。
【図２】本発明に係るりん型りん棒にて、おりんを叩く例を示す。
【図３】りん型りん棒を安定した自立可能に立設する載置部を設けた例を示す。
【図４】（ａ）は中実体をりん型りん棒で叩く状態を示し、（ｂ）は叩くための台座にりん型りん棒を載置させた状態を示す。
【発明を実施するための形態】
【００１０】
本発明に係るりん型りん棒の例を以下、図面に基づいて説明するが、把持部と打部を有し打部が共振するものであれば、これに限定されない。
【００１１】
図１に、りん型りん棒１０の構造例を示す。
りん型りん棒１０は筒状の打部１２と、その一端に連結した把持部１１を有する。
本実施例は、概ね棒状体からなるりん型りん棒の例である。
打部１２は有底筒状の中空部１３ａと、その先端側が開口した開口部１３になっている。
打部１２は物を叩くと共振するようになっていて、共鳴音が鳴る。
１秒〜数秒以上の余韻のある長い残響音を得るには中空部１３ａの肉厚ｔは０．２〜１．５ｍｍ程度の薄いものが良く、真鍮，アルミ，スズ等の金属製である。
また、打部１２の外径は概ね１０ｍｍ〜２０ｍｍである。
把持部１１は布、革、樹脂等の緩衝材で被覆してある。
これにより、把持部１１を指で摘んでも共振の妨げにならない。
【００１２】
本発明に係るりん型りん棒１０は、図２に示すように従来から仏具として使用されている各種おりん１を叩いて鳴らしてもよく、図４（ａ）に示すように中実体等の物体２を叩いてりん音を鳴らしてもよい。
【００１３】
図３に示した実施例は中空部１３ａの底部から支柱部１４ａを延在させ、先端部に円ばん状の載置部１４を形成し、りん型りん棒１０Ａが安定して自立載置させておくことができる例である。
【００１４】
図４（ｂ）に示す実施例は打部１２ａが釣鐘状の形状であり、その上端側に可撓性の連結部１１ａを介し、摘み部１１ｂを有するりん型りん棒１０Ｂの例である。
例えばＬ字形状の台座３に立設しておき、摘み部１１ｂを指で摘み上げ、台座３の叩き部１３ａを打部１２ａで軽く叩くとりん音が鳴る。
台座３の形状は仏具として、動物や草花をあしらったデザイン台座にするのもよい。
【符号の説明】
【００１５】
１０      りん型りん棒
１１      把持部
１２      打部
１３      開口部
１３ａ    中空部
【図１】
0006390962.tif 000002
【図２】
0006390962.tif 000003
【図３】
0006390962.tif 000004
【図４】
0006390962.tif 000005
(57)【特許請求の範囲】
【請求項１】
各種機器を載置固定すると共にキャビネットに収納して制御盤を構成する基板であって、
該基板のキャビネットへの取り付け部を、機器取り付けの有効範囲から四隅の上および下方向へ延設する一方、前記キャビネットの背面内側に基板取り付け金具を配置し、
前記キャビネットへの取り付けは、前記基板の前記取り付け部に取り付け穴を設けると共に、前記基板取り付け金具に複数の固定穴を形成し、前記取り付け穴を前記固定穴に対向させて、ねじにより前記基板を前記キャビネットへ固定することで実施し、
使用する前記固定穴を選択することで、前記基板の取り付け位置を可変とすることを特徴とする基板。
【請求項２】
前記基板の周縁には複数の配線固定穴をスリット状に設けたことを特徴とする請求項１に記載の基板。
【発明の詳細な説明】
【技術分野】
【０００１】
本発明は、制御盤を構成する、各種機器を載置固定する基板である。
【背景技術】
【０００２】
従来の制御盤に用いられる基板は、キャビネットの形状に合わせた矩形で構成されていた。基板をキャビネットに取り付ける際には、たくさんの機器を取り付け可能とするために、基板の隅でねじ止め固定していた。しかしながら、基板の隅であっても、機器の有効取り付け範囲は減少してしまうので、先行文献１記載のものが考えられている。
【先行技術文献】
【特許文献】
【０００３】
【特許文献１】特開２００３−２０９３８０号公報
【発明の概要】
【発明が解決しようとする課題】
【０００４】
しかしながら上記従来技術によれば、ねじ頭部がベース表面から突出しないようにするために、ベースホルダーが、ブラケット部の頂辺部より一段低い位置で張出片部を支持するねじ止め用孔付きの取付片部を連設するというように形状が複雑になってしまうという欠点があった。
【課題を解決するための手段】
【０００５】
そこで本発明は、簡単な構造で、機器の取り付け有効範囲を狭めることのない基板を構成することを目的とし、その構造は、各種機器を載置固定すると共にキャビネットに収納して制御盤を構成する基板であって、該基板のキャビネットへの取り付け部を、機器取り付けの有効範囲から四隅の上および下方向へ延設する一方、キャビネットの背面内側に基板取り付け金具を配置し、キャビネットへの取り付けは、基板の取り付け部に取り付け穴を設けると共に、基板取り付け金具に複数の固定穴を形成し、取り付け穴を固定穴に対向させて、ねじにより基板をキャビネットへ固定することで実施し、使用する固定穴を選択することで、基板の取り付け位置を可変とすることを特徴とする。
【０００７】
また、基板の周縁には複数の配線固定穴をスリット状に設けたことを特徴とする。
【発明の効果】
【０００８】
請求項１に係る基板では、基板の機器取り付け有効範囲は確保される。しかも、基板の隅を延設するだけであるため、構造もかんたんであり、製造費用も抑えることができる。
【０００９】
また、基板の取り付け位置を可変とすることで、基板の上下に配線スペースを設ける際に配線量に合わせて基板を簡単に移動させることができる。
【００１０】
請求項２に係る基板では、請求項１に係る基板の効果に加えて、任意の位置で配線の結束が可能となる。
【図面の簡単な説明】
【００１１】
【図１】キャビネットの基板の取り付け構造を示す説明図である。
【図２】図１における基板のキャビネットへの取り付け部分の拡大図である。
【図３】図１における基板に機器を取り付けた状態を示す説明図である。
【図４】図３における配線固定穴の使用状態を示す説明図である。
【発明を実施するための形態】
【００１２】
本発明の実施例を図１から図４の添付図面に基づいて説明する。
【００１３】
請求項１に係るキャビネット１の基板２を説明する。前面開口１ａを有するキャビネット１に、制御機器等を載置固定した基板２をキャビネット１に収納して制御盤を構成する。本発明は、キャビネット１の基板２に関するものである。基板２は、キャビネット１の形状に合わせて矩形である。左右端部を背面側に折曲し、基板２の背面側に突出するものがあってもキャビネット１に基板２が取り付けられるようになっている。
【００１４】
基板２に機器を取り付けるとき、機器が取り付け可能である機器取り付けの有効範囲が狭められることがないように、基板２をキャビネットに取り付けるための取り付け部２ａを、基板２の機器取り付けの有効範囲から延設する。取り付け部２ａには取り付け穴２ｂを設ける。キャビネット１の背面内側には基板取り付け金具４を設け、この基板取り付け金具４に設けられた挿通孔４ａと基板２の取り付け穴２ｂを対向させ、ねじ５で固定する。基板取り付け金具４の挿通孔４ａには、クリップナット６を取り付けることでねじ穴を構成する。取り付け部２ａは、キャビネット１の開口１ａによるデッドスペース部分となるため、取り付けられる機器の取り付け有効範囲を減らすことはなく、限られたスペースを有効に利用している。
【００１５】
本発明の請求項２に係るキャビネット１の基板２を説明する。
【００１６】
基板２に設けられる取り付け穴２ｂおよび基板取り付け金具４に設けられる挿通孔４ａを複数とする。それぞれの取り付け穴２ｂと挿通孔４ａを選択することで、基板２の取り付け位置を変更することができるものである。使用する挿通孔４ａにはクリップナット６を取り付けてねじ穴とし、基板２をキャビネット１の上方に取り付けたい場合には、下側の取り付け穴２ｂを挿通孔４ａに対向させてねじ止め固定する。また、基板２をキャビネット１の下方に取り付けたい場合には、上側の取り付け穴２ｂを挿通孔４ａに対向させてねじ止め固定する。
【００１７】
基板２に取り付けられる機器の配置によって、キャビネット１の上側からの入出線が多い場合には基板２をキャビネット１の下方に取り付け、キャビネット１の下側からの入出線が多い場合には基板２をキャビネット１の上方に取り付けることができる。その取り付け変更作業も簡単である。
【００１８】
請求項３にかかるキャビネット１の基板２の実施例を説明する。
【００１９】
機器間を接続する配線を整線、結束するために、基板２の周縁に複数の配線固定穴２ｃをスリット状に設ける。配線を束ねて結束バンド７で配線固定穴２ｃに留めることができる。配線固定穴２ｃは基板２の周縁に複数設けられているので、任意の位置で結束可能となる。
【符号の説明】
【００２０】
１    キャビネット
１ａ  開口
２    基板
２ａ  取り付け部
２ｂ  取り付け穴
２ｃ  配線固定穴
３    機器
４    基板取り付け金具
４ａ  挿通孔
５    ねじ
６    クリップナット
７    結束バンド
【図１】
0006412367.tif 000002
【図２】
0006412367.tif 000003
【図３】
0006412367.tif 000004
【図４】
0006412367.tif 000005
(57)【特許請求の範囲】
【請求項１】
以下のステップ：
ｉ）染毛剤組成物をステンシルに塗布するステップであって、前記ステンシルが平滑な水平基板上に配置されているステップと、
ｉｉ）水平面に対して２０から６０度の仰角まで前記平滑な基板を傾けるステップと、
ｉｉｉ）平滑な基板から前記ステンシルを除去するステップと、
ｉｖ）前記基板上の前記染毛剤組成物の移動を可視化するステップ
をこの順序で含む、染毛剤組成物の非液だれ特性を実証する方法。
【請求項２】
前記平滑な基板がアクリル製である、請求項１に記載の方法。
【請求項３】
前記平滑な基板が黒色である、請求項１または２に記載の方法。
【請求項４】
水平面に対して２５から３０度の角度まで前記平滑な基板を傾ける、請求項１から３のいずれかに記載の方法。
【請求項５】
前記ステンシルが言葉を表す切り抜き部分を有する、請求項１から４のいずれかに記載の方法。
【請求項６】
前記ステンシルがアクリル製である、請求項１から５のいずれかに記載の方法。
【請求項７】
前記ステンシルが透明である、請求項１から６のいずれかに記載の方法。
【請求項８】
前記染毛剤が、へらまたはピペットを用いて前記ステンシルの切り抜き部分に配置される、請求項１から７のいずれかに記載の方法。
【請求項９】
複数の染毛剤組成物の非液だれ特性を同時に実証する、請求項１から８のいずれかに記載の方法。
【請求項１０】
前記ステンシルが異なる製品名を表す複数の言葉を有する、請求項７に記載の方法。
【請求項１１】
少なくとも１つの染毛剤組成物が、７５から１５０Ｐａの降伏応力、０．１から０．５ＰａＳの粘性を有する、請求項１から１０のいずれかに記載の方法。
【発明の詳細な説明】
【技術分野】
【０００１】
本発明は、毛髪着色配合物の非液だれ態様を実証する方法に関する。染毛剤が液だれしないならば、塗布しやすく、かつ衣服および皮膚を染色する可能性が低い。
【背景技術】
【０００２】
欧州特許第０８９４４９１号明細書は、染毛剤組成物の非液だれ特性を実証する方法であって、被検染毛剤を試験者の毛髪に塗布する方法を開示している。
【０００３】
特開２００５−２４７７４２号公報は、染毛剤組成物の非液だれ特性を実証する方法であって、かつらの毛髪に被検染毛剤を塗布する方法を開示している。
【先行技術文献】
【特許文献】
【０００４】
【特許文献１】欧州特許第０８９４４９１号明細書
【特許文献２】特開２００５−２４７７４２号公報
【発明の概要】
【発明が解決しようとする課題】
【０００５】
十分に規定されかつ再現可能な条件下で毛髪着色組成物の非液だれ特性を実証する方法の必要性が、依然として存在する。
【課題を解決するための手段】
【０００６】
したがって、本発明は、以下のステップをこの順序で含む、染毛剤組成物の非液だれ特性を実証する方法に関する：
ｉ）染毛剤組成物をステンシルに塗布するステップであって、ステンシルが平滑な水平基板上に配置されているステップと、
ｉｉ）水平面から２０から６０度の角度まで平滑な基板を傾けるステップと、
ｉｉｉ）平滑面からステンシルを除去するステップと、
ｉｖ）基板上の染毛剤組成物の移動を可視化するステップ。
【発明を実施するための形態】
【０００７】
基板を傾けることによって、液だれする傾向がより大きい組成物が基板を流れ落ち、それにより、ステンシルによって残された最初の像が歪められる。
【０００８】
２０から６０度の仰角、より好ましくは２５から３０度の上昇度で、平滑面を傾ける。本出願において、仰角は、水平面に対する平滑面の傾斜角度と定義される。
【０００９】
好ましくは、基板は非吸収性材料であり、より好ましくは、基板はガラスまたはアクリルから、より好ましくはアクリルから形成される。
【００１０】
基板が暗色または黒色である場合が好ましく、より好ましくは基板は黒色である。
【００１１】
好ましくは、ステンシルは非吸収性材料であり、より好ましくは、ステンシルはガラスまたはアクリルから、より好ましくはアクリルから形成される。好ましくは、ステンシルは透明である。
【００１２】
好ましくは、ステンシルの切り抜き部分の形状は、言葉を形成するいくつかの文字のものである。好ましくは、ステンシルは複数の言葉の切り抜き部分を有し、これによって、製品の比較が可能になる。より好ましくは、言葉に関する切り抜き部分の数は２から５であり、最も好ましくは、切り抜き部分は３つの言葉を表す。
【００１３】
好ましくは、ステンシルは、２ｍｍから８ｍｍ、より好ましくは、４ｍｍから６ｍｍの深さ（切り抜き部分の深さ）を有する。
【００１４】
好ましくは、染毛剤組成物は、へらまたはピペットを使用してステンシルの切り抜き部分に配置される。好ましくは、染毛剤組成物は、ステンシルの切り抜き部分の全域を覆うように配置される。
【００１５】
好ましくは、上記方法は、複数の染毛剤組成物の拡がり容易性を実証することができる。
【００１６】
好ましくは、上記方法で使用される組成物は、第一組成物と第二組成物の混合物である。第一組成物は酸化染料を含み、第二組成物は過酸素発生材料を含む。１：３から３：１の重量比、より好ましくは１：２から２：１の重量比、最も好ましくは３：２から２：３の重量比でこれら２つの混合物を混合する場合、得られる混合物は以下を有する：
ａ）７５から１５０Ｐａ、好ましくは８５から１２５Ｐａ、より好ましくは９０から１１０Ｐａの降伏応力、
ｂ）０．１から０．５ＰａＳ、好ましくは０．１５から０．４、より好ましくは０．２から０．３５の粘性、
ｃ）好ましくは６０から１００％、より好ましくは７０から８０％の揺変性の回復、
ｄ）好ましくは２０から１９０秒（Ｓ）、より好ましくは３０から１８０（Ｓ）の揺変性の崩壊。
【００１７】
［実施例］
［実施例１］
製品名に関する３つの切り抜き部分を有する透明なアクリルのステンシルを、水平な背部のアクリル基板上に配置する。必要に応じてへらまたはピペットを使用して、３つの染毛剤を、それらが切り抜き部分を完全に満たすように配置する。各組成物を、組成物名を表す言葉の切り抜き部分に配置する。ステンシルおよび基板を、水平面に対して２８度の角度まで傾ける。ステンシルを基板から除去する。最初は、組成物名は明瞭に見られるが、基板上で生じた像の移動が、組成物の液だれ傾向を実証する。したがって、最も液だれしにくい組成物は、組成物が板を流れ落ちないので、明瞭に見られる名前をより長い間示す。